(57)【特許請求の範囲】
【請求項１】
突部が電極部に形成された乾電池を収容する乾電池収容装置であって、
前記乾電池を収容する収容部の電極端子に、前記突部の側壁に当接する当接部を設け、
前記突部の側壁が前記当接部に押圧されるように前記乾電池のハウジングを付勢する付勢手段を設けたことを特徴とする乾電池収容装置。
【請求項２】
前記当接部には、前記突部の側壁に当接して支持するＶ字型の支持部が形成されていることを特徴とする請求項１に記載の乾電池収容装置。
【請求項３】
前記支持部のＶ字型部位から前記収容部の長手方向に延び出す延出し板部を設けたことを特徴とする請求項１又は２に記載の乾電池収容装置。
【請求項４】
前記収容部には、前記乾電池のハウジングを開閉自在に覆う蓋部が設けられ、
前記付勢手段が該蓋部の内側に設けられており、
該蓋部を閉めることによって前記乾電池のハウジングが押圧されて前記突部の側壁が前記当接部に押圧されることを特徴とする請求項１〜３のうち何れか１項に記載の乾電池収容装置。
【請求項５】
前記収容部には、前記乾電池の長手方向の一方の端部を開閉自在に覆う蓋部が設けられ、
前記付勢手段が前記収容部の内壁側に設けられており、
前記収容部に収容された前記乾電池のハウジングが前記付勢手段で押圧されて前記突部の側壁が前記当接部に押圧されることを特徴とする請求項１〜３のうち何れか１項に記載の電池収容装置。
【発明の詳細な説明】
【０００１】
【発明の属する技術分野】
本発明は、突状の電極部が形成された乾電池を収容する乾電池収容装置に関する。
【０００２】
【従来の技術】
乾電池を利用する電子機器には、乾電池を収容する収容部が設けられている。この収容部に、例えば円筒状の乾電池が収容されると、乾電池の長手方向両端に形成された電極部が、収容部に設けられた電極端子に接触した状態になる。
【０００３】
このような電子機器では、収容した乾電池の導通抵抗を安定させるために、電子機器に衝撃等の外力が加えられても乾電池が移動せずに良い接触条件が維持されることが望まれている。
【０００４】
この接触条件の維持のために、通常、乾電池のハウジングを外側から押圧することにより乾電池を固定しており、更には、上記の電極端子をばね部材で構成することにより乾電池の電極部を挟み込ませる構造にすることも行われている。
【０００５】
【発明が解決しようとする課題】
しかし、乾電池の寸法公差を考慮すると、上記の収容部の構造をガタをもたせた構造にせざるを得ない。このため、乾電池のハウジングを外側から押圧することや、収容部の電極端子による挟込み圧力で保持することのみでは、衝撃等の外力が電子機器に加えられた際の乾電池の移動防止が困難であるという問題があった。
【０００６】
なお、図８に示すように、特開２００１−２４３９３４には、収容部８２の負極側の電極端子８８を傾けることが開示されているが、上記の問題を解決することには至らない。
【０００７】
本発明は、上記事実を考慮して、乾電池の寸法公差に影響されることなく、電子機器に外部から衝撃等の外力が加えられても乾電池の良好な接触状態を維持できる乾電池収容装置を提供することを課題とする。
【０００８】
【課題を解決するための手段】
請求項１に係る発明は、突部が電極部に形成された乾電池を収容する乾電池収容装置であって、前記乾電池を収容する収容部の電極端子に、前記突部の側壁に当接する当接部を設け、前記突部の側壁が前記当接部に押圧されるように前記乾電池のハウジングを付勢する付勢手段を設けたことを特徴とする。
【０００９】
このように、乾電池の電極部に突部が形成されていることを利用し、この突部の側壁を収容部の電極端子に当接させる構造にしているので、収容部との間に従来生じていた乾電池のガタをなくすことができる。従って、乾電池を収容した状態で衝撃等の外力が外部から収容部に加えられても、安定した接触抵抗を維持すること、すなわち、収容部の電極端子と乾電池の電極部との接触状態を良好な状態に維持することができる。また、このことによって、乾電池の寿命を延ばすという効果も奏することができる。
また、付勢手段により、収容部の電極端子と乾電池の電極部との接触をより確実に維持することができる。
【００１０】
収容部の電極端子の形状、構造は、乾電池の電極部の側壁に当接して乾電池を支えるのであれば、特に限定しない。
【００１１】
請求項２に係る発明は、前記当接部には、前記突部の側壁に当接して支持するＶ字型の支持部が形成されていることを特徴とする。
【００１２】
これにより、収容部の電極端子と乾電池の電極部との良好な接触状態を維持し易い。
【００１３】
請求項３に記載の発明は、前記支持部のＶ字型部位から前記収容部の長手方向に延び出す延出し板部を設けたことを特徴とする。
【００１４】
請求項４に係る発明は、前記収容部には、前記乾電池のハウジングを開閉自在に覆う蓋部が設けられ、前記付勢手段が該蓋部の内側に設けられており、該蓋部を閉めることによって前記乾電池のハウジングが押圧されて前記突部の側壁が前記当接部に押圧されることを特徴とする。
【００１５】
請求項５に記載の発明は、前記収容部には、前記乾電池の長手方向の一方の端部を開閉自在に覆う蓋部が設けられ、前記付勢手段が前記収容部の内壁側に設けられており、前記収容部に収容された前記乾電池のハウジングが前記付勢手段で押圧されて前記突部の側壁が前記当接部に押圧されることを特徴とする。
【００１６】
【発明の実施の形態】
以下、カメラに設けられた乾電池収容装置を例に挙げ、本発明の実施の形態について説明する。
【００１７】
［第１形態］
図１〜図３に示すように、第１形態では、円筒状の市販の乾電池（マンガン電池、アルカリ電池等）１０を収容する収容部１５がカメラ１４に設けられており、この収容部１５の正極側の電極端子（以下、正極端子という）１６は、乾電池１０の正極部１１に形成されたボタン状の突部１２を支える支持部１７を有する。支持部１７はＶ字状にカットされた切り欠き形状にされており、上端１７Ｅで最もカット幅Ｄが広く、収容部１５の底部に向けて徐々にカット幅が狭い形状にされている。
【００１８】
負極側の電極端子（以下、負極端子という）１８は、従来と同様の渦巻き状のばね部材で構成され、乾電池１０を正極端子１６に向けて付勢する構造にされている。
【００１９】
また、カメラ１４には、カメラ１４のハウジングを構成し収容部１５を開閉自在に覆う蓋部２２が設けられている。蓋部２２の内側には、クッション性を有する弾性部材２０が取付けられており、乾電池１０を収容した状態で蓋部２２を閉めると弾性部材２０が乾電池１０のハウジング１３を押圧するようになっている。
【００２０】
カメラ１４の収容部１５に乾電池１０を収容するには、蓋部２２を開けた状態で、乾電池１０の負極部９を負極端子１８に当接させて押圧して乾電池１０を収容部１５へ入れ込むと共に、乾電池１０の突部１２の側壁１２Ｗを正極端子１６の支持部１７に当接させる。
【００２１】
この結果、突部１２が支持部１７に落とし込まれた状態になると共に、乾電池１０の頭部壁面１０Ｈが正極端子１６の内壁面に当接して、乾電池１０が正極端子１６と負極端子１８とによって挟み込まれた状態で収容部１５に保持される。
【００２２】
次に、蓋部２２を閉めることにより、弾性部材２０によって、乾電池１０が収容部１５の底部に向けて押圧された状態で収容される。この状態では、図３に示すように、乾電池１０の突部１２の側壁１２Ｗが支持部１７の底部１７Ｂに向けて押圧された状態、すなわち、突部１２の側壁１２Ｗが支持部１７の斜面１７Ｓに充分に押圧された状態になる。
【００２３】
これにより、カメラ１４に衝撃等の外力が加えられても、突部１２と支持部１７との接触状態（すなわち乾電池１０の正極部１１と収容部１５の正極端子１６との接触状態）、及び、乾電池１０の負極部９と収容部１５の負極端子１８との接触状態が、何れも良好な状態で維持される。従って、乾電池１０の寸法公差に影響されることなく、衝撃等の外力が外部から加えられても乾電池１０と収容部１５との接触抵抗を安定した状態に維持することができる。
【００２４】
［第２形態］
次に、第２形態について説明する。第２形態では、第１形態と同様の構成要素には同じ符号を付してその説明を省略する。
【００２５】
図４、図５に示すように、第２形態では、第１形態に比べ、乾電池１０を収容する収容部３５の正極端子３６の構造がやや異なる。すなわち、正極端子３６は、Ｖ字状にカットされた支持部３７の上端側に、収容部３５の長手方向に延び出した延出し板部３８を有しており、収容された乾電池１０の突部１２の側壁１２Ｗが延出し板部３８に当接するようになっている。
【００２６】
これにより、乾電池１０の正極部１１と収容部３５の正極端子３６との接触領域を増大させることができ、正極部１１と正極端子３６との接触抵抗を第１形態よりも更に安定させることができる。
【００２７】
［第３形態］
次に、第３形態について説明する。図６、図７に示すように、第３形態では、乾電池１０を収容する収容部４５の長手方向（すなわち収容される乾電池１０の長手方向）の一方の端部側に、カメラ４４のハウジングを構成し収容部４５を開閉自在に覆う蓋部５２を設けている。蓋部５２には、板バネ部材で構成されて乾電池１０の負極部９と当接する負極端子５８が設けられている。
【００２８】
また、収容部４５には、第１形態と同様の正極端子１６が設けられており、更に、収容された乾電池１０の突部１２の側壁１２Ｗが支持部１７の底部１７Ｂへ向けて押圧されるように、乾電池１０のハウジング１３を収容部４５の底部へ向けて付勢する板バネ６０が設けられている。
【００２９】
これにより、乾電池１０を収容部４５に収容させる際、乾電池１０を端部から収容部４５へ入れ込んで蓋部５２で蓋をすることにより、乾電池１０を容易に収容させることができる。
【００３０】
以上、実施形態を挙げて本発明の実施の形態を説明したが、上記実施形態は一例であり、乾電池を複数本収容できる装置にすることや、正極端子の形状を変更することなど、要旨を逸脱しない範囲内で種々変更して実施できる。また、本発明の権利範囲が上記実施形態に限定されないことは言うまでもない。
【００３１】
【発明の効果】
本発明は上記構成としたので、以下の効果を奏することができる。
【００３２】
請求項１に係る発明によれば、乾電池を収容した状態で衝撃等の外力が外部から収容部に加えられても、収容部の電極端子と乾電池の電極部との接触状態を良好な状態に維持することができる。また、このことによって、乾電池の寿命を延ばすという効果も奏することができる。また、付勢手段により、収容部の電極端子と乾電池の電極部の突部との接触をより確実に維持することができる。
【００３３】
請求項２に係る発明によれば、収容部の電極端子と乾電池の電極部との良好な接触状態を維持し易い。
【００３４】
【図面の簡単な説明】
【図１】  第１形態で、乾電池を収容する収容部を示す斜視図である（乾電池が収容されていない状態）。
【図２】  第１形態で、乾電池を収容する収容部を示す斜視図である（乾電池が収容されている状態）。
【図３】  図２で矢視３−３から見た正面図である。
【図４】  第２形態で、乾電池を収容する収容部を示す斜視図である（乾電池が収容されていない状態）。
【図５】  第２形態で、乾電池を収容する収容部を示す斜視図である（乾電池が収容されている状態）。
【図６】  第３形態で、乾電池を収容する収容部を示す斜視図である（乾電池が収容されていない状態）。
【図７】  第３形態で、乾電池を収容する収容部を示す斜視図である（乾電池が収容されている状態）。
【図８】  図８（Ａ）から（Ｃ）は、それぞれ、従来の乾電池収容ボックスに乾電池を収容させる手順を示す側面断面図である（特開２００１−２４３９３４に開示された例）。
【符号の説明】
１０  乾電池
１１  正極部（電極部）
１２  突部
１２Ｗ  側壁
１５  収容部
１６  正極端子（電極端子）
１７  支持部
２０  弾性部材（付勢手段）
３５  収容部
３６  正極端子（電極端子）
３７  支持部
４５  収容部
６０  板バネ（付勢手段）
８２  収容部
【図１】
0004291546.tif 000002
【図２】
0004291546.tif 000003
【図３】
0004291546.tif 000004
【図４】
0004291546.tif 000005
【図５】
0004291546.tif 000006
【図６】
0004291546.tif 000007
【図７】
0004291546.tif 000008
【図８】
0004291546.tif 000009